(57)【要約】【課題】  既に映像データが記録されている記録再生媒体の日付時刻情報を外部から補正できるようにして、再生する映像データに対して、適切な日付時刻を付与できるようにした撮像装置を提供する。【解決手段】  撮像装置は、撮像した映像に、日付時刻情報を付けて記録再生媒体に記録する記録手段を備えた撮像装置であって、記録再生媒体に記録されている映像データの再生範囲を予め指定する再生範囲指定手段と、再生範囲指定手段で指定した再生範囲に対して、日付時刻を設定する補正時刻設定手段と、補正時刻設定手段で設定された日付時刻情報を含む映像を再生範囲指定手段で指定した再生範囲で表示する表示手段と、を備えたことである。【選択図】  図１
2005142712.tif 000002
【特許請求の範囲】
【請求項１】
撮像した映像データに、日付時刻情報を付けて記録再生媒体に記録する記録手段を備えた撮像装置であって、
前記記録再生媒体に記録されている映像データの再生範囲を予め指定する再生範囲指定手段と、
前記再生範囲指定手段で指定した再生範囲に対して、日付時刻を設定する補正時刻設定手段と、
前記補正時刻設定手段で設定された日付時刻情報が含まれている映像データを前記再生範囲指定手段で指定した再生範囲内で表示する表示手段と、
を備えたことを特徴とする撮像装置。
【請求項２】
撮像した映像データに、日付時刻情報を付けて記録再生媒体に記録する記録手段を備えた撮像装置であって、
前記記録再生媒体に記録されている映像データを編集する編集手段と、
前記編集手段で編集時に、前記記録再生媒体に記録されている映像データの再生範囲を予め指定する再生範囲指定手段と、
前記再生範囲指定手段により指定された単一又は複数の再生範囲に対して、日付時刻を設定する補正時刻設定手段と、
前記補正時刻設定手段で設定された日付時刻情報が含まれている映像データを外部機器に転送する転送手段と、
を備えたことを特徴とする撮像装置。
【請求項３】
撮像した映像データに、日付時刻情報を付けて記録再生媒体に記録する記録手段を備えた撮像装置であって、
前記記録再生媒体に記録されている映像データの再生範囲を予め指定する再生範囲指定手段と、
前記再生範囲指定手段で指定した単一又は複数の再生範囲に対して、日付時刻を設定する補正時刻設定手段と、
前記補正時刻設定手段で日付時刻を設定するとき、日付時刻情報を含む映像データを記録した記録再生媒体に、設定した日付時刻情報に基づく補正開始位置及び補正終了位置及び補正時刻データを記憶させる記憶手段と、
前記記録再生媒体の再生時に、前記記録再生媒体に記憶されている前記補正開始位置から補正終了位置までの範囲内での補正された日付時刻情報を読み出して再生する日付時刻再生手段と、
を備えたことを特徴とする撮像装置。
【請求項４】
撮像した映像データに、日付時刻情報を付けて記録再生媒体に記録する記録手段を備えた撮像装置であって、
前記記録再生媒体に記録されている映像データの再生範囲を予め指定する再生範囲指定手段と、
前記再生範囲指定手段で指定した単一又は複数の再生範囲に対して、日付時刻を設定する補正時刻設定手段と、
前記補正時刻設定手段で日付時刻を設定するときに、日付時刻情報を含む映像データが記録されている記録再生媒体に備えているメモリに、単一又は複数の設定された日付時刻情報に基づく補正開始位置及び補正終了位置及び補正時刻データを記憶させる記憶手段と、
前記記録再生媒体の再生時に、前記メモリに記憶されている前記補正開始位置から補正終了位置までの範囲内での補正された日付時刻情報を読出して再生する日付時刻再生手段と、
を備えたことを特徴とする撮像装置。
【請求項５】
撮像した映像データに、日付時刻情報を付けて記録再生媒体に記録する記録手段を備えた撮像装置であって、
前記記録再生媒体に記録されている映像データの再生範囲を予め指定する再生範囲指定手段と、
前記再生範囲指定手段で指定した単一又は複数の再生範囲に対して、日付時刻を設定する補正時刻設定手段と、
前記補正時刻設定手段で日付時刻を設定するときに、日付時刻情報を含む映像データが記録されている記録再生媒体を装着する装置本体に備えられているメモリに、単一又は複数の日付時刻情報に基づく補正開始位置及び補正終了位置及び補正時刻データを記憶させる記憶手段と、
前記記録再生媒体の再生時に、前記メモリに記憶されている前記補正開始位置から補正終了位置までの範囲内での補正された日付時刻情報を読み出して再生する日付時刻再生手段と、
を備えたことを特徴とする撮像装置。
【発明の詳細な説明】
【技術分野】
【０００１】
本発明は、撮像装置に関するものであり、詳しくは撮影した映像データを記録すると共に、その撮像した日付時刻情報をも記録する機能を備えた撮像装置において、日付時刻情報を任意に変更できる機能を備えた撮像装置に関する。
【背景技術】
【０００２】
従来技術における、撮像装置、例えば、カメラ一体型ＶＴＲやデジタルカメラを例にとると、テープやメモリなどのメディアに撮影時刻を記録するための日付時刻情報は必要不可欠なものとなっている。
この日付時刻情報の設定方法としては、ユーザーの手動操作による設定が大半を占めているのが現状であるが、機器の携帯性から、旅行等にもっていく用途を考慮して、日付時刻情報の他に、地域情報や時差情報を設定する必要があるなど、設定情報は複雑になり、設定や、変更の煩雑さはますます増大する傾向にある。
又、日付時刻情報を保持する手段としては、機器本体にバックアップ電池を用いているが、近年の機器の小型化により、バックアップ電池も小型化が要求され、且つ容量も小さくなっている傾向にあるため、しばらく使用しない場合は、バックアップ電池の容量がバックアップ保持電圧を下回り、日付時刻情報の正確さは失われてしまう。
そのため、ユーザーは日付時刻の再設定の必要に迫られる。
日付時刻情報が未設定、あるいは日付時刻情報が正確でない場合でも、撮影の機会損失を防ぐため、テープなどの映像記録媒体には日付時刻情報の有無にかかわらず、映像及び、その時点での日付時刻情報が記録される。
このため、映像に記録されている日付時刻情報については、日付時刻情報が未設定や不正確であることが、予めわかっていても、記録してしまったあとでは容易に補正して再生することが困難であった。
これらの問題を解決する一つの手法として、例えば、特開２００１−２６６５４９号公報に開示されているように、複数の範囲を指定して再生することにより、外部機器への編集を容易に行える方法がある。
又、特開平６−８９５４３号公報に開示されているように、メモリを備えた記録媒体において、記録開始点と終了点のタイムコードや日付時刻情報等の情報に基づくデータ構造を構築して、録画情報の検索を容易に行う方法がある
【特許文献１】特開平６−８９５４３号公報（第３頁  第１図）
【特許文献２】特開２００１−２６６５４９号公報（第６頁〜８頁  第１０図）
【発明の開示】
【発明が解決しようとする課題】
【０００３】
しかしながら、従来技術で説明した撮像装置において、例えば、特開２００１−２６６５４９号公報に開示されているように、複数の範囲を指定して再生することにより、外部機器への編集を容易に行える方法が試みられているが、記録された日付時刻情報を補正する方法については開示されておらず、一旦書き込んでしまった日付時刻情報は変更できないという問題がある。
又、特開平６−８９５４３号公報に開示されているように、メモリを備えた記録媒体において、記録開始点と終了点のタイムコードや日付時刻情報等の情報に基づくデータ構造を構築して、録画情報の検索を容易に行う方法が試みられているが、日付時刻情報の補正については述べられていない。
更に、日付時刻データを補正して再生する方法について、再生機本体に補正情報があっても、記録媒体を持ち出した場合、記録媒体に補正情報を持たない場合は、正しい日付時刻情報が記録され、補正の必要のない媒体であっても、補正されてしまうという問題がある。また、別の再生機で再生した場合には補正されないという問題もあった。
【０００４】
従って、撮像した映像データに、日付時刻情報を記録可能な撮像装置において、簡単な構成により、既に記録されている映像記録媒体の日付時刻情報を補正できるような手法に解決しなければならない課題を有する。
【課題を解決するための手段】
【０００５】
上記課題を解決するために、本願発明の撮像装置は、次に示す構成にすることである。
【０００６】
（１）撮像装置は、撮像した映像データに、日付時刻情報を付けて記録再生媒体に記録する記録手段を備えた撮像装置であって、前記記録再生媒体に記録されている映像データの再生範囲を予め指定する再生範囲指定手段と、前記再生範囲指定手段で指定した再生範囲に対して、日付時刻を設定する補正時刻設定手段と、前記補正時刻設定手段で設定された日付時刻情報が含まれている映像データを前記再生範囲指定手段で指定した再生範囲内で表示する表示手段と、を備えたことである。
【０００７】
（２）撮像装置は、撮像した映像データに、日付時刻情報を付けて記録再生媒体に記録する記録手段を備えた撮像装置であって、前記記録再生媒体に記録されている映像データを編集する編集手段と、前記編集手段で編集時に、前記記録再生媒体に記録されている映像データの再生範囲を予め指定する再生範囲指定手段と、前記再生範囲指定手段により指定された単一又は複数の再生範囲に対して、日付時刻を設定する補正時刻設定手段と、前記補正時刻設定手段で設定された日付時刻情報が含まれている映像データを外部機器に転送する転送手段と、を備えたことである。
【０００８】
（３）撮像装置は、撮像した映像データに、日付時刻情報を付けて記録再生媒体に記録する記録手段を備えた撮像装置であって、前記記録再生媒体に記録されている映像データの再生範囲を予め指定する再生範囲指定手段と、前記再生範囲指定手段で指定した単一又は複数の再生範囲に対して、日付時刻を設定する補正時刻設定手段と、前記補正時刻設定手段で日付時刻を設定するとき、日付時刻情報を含む映像データを記録した記録再生媒体に、設定した日付時刻情報に基づく補正開始位置及び補正終了位置及び補正時刻データを記憶させる記憶手段と、前記記録再生媒体の再生時に、前記記録再生媒体に記憶されている前記補正開始位置から補正終了位置までの範囲内での補正された日付時刻情報を読み出して再生する日付時刻再生手段と、を備えたことである。
【０００９】
（４）撮像装置は、撮像した映像データに、日付時刻情報を付けて記録再生媒体に記録する記録手段を備えた撮像装置であって、前記記録再生媒体に記録されている映像データの再生範囲を予め指定する再生範囲指定手段と、前記再生範囲指定手段で指定した単一又は複数の再生範囲に対して、日付時刻を設定する補正時刻設定手段と、前記補正時刻設定手段で日付時刻を設定するときに、日付時刻情報を含む映像データが記録されている記録再生媒体に備えているメモリに、単一又は複数の設定された日付時刻情報に基づく補正開始位置及び補正終了位置及び補正時刻データを記憶させる記憶手段と、前記記録再生媒体の再生時に、前記メモリに記憶されている前記補正開始位置から補正終了位置までの範囲内での補正された日付時刻情報を読出して再生する日付時刻再生手段と、を備えたことである。
【００１０】
（５）撮像装置は、撮像した映像データに、日付時刻情報を付けて記録再生媒体に記録する記録手段を備えた撮像装置であって、前記記録再生媒体に記録されている映像データの再生範囲を予め指定する再生範囲指定手段と、前記再生範囲指定手段で指定した単一又は複数の再生範囲に対して、日付時刻を設定する補正時刻設定手段と、前記補正時刻設定手段で日付時刻を設定するときに、日付時刻情報を含む映像データが記録されている記録再生媒体を装着する装置本体に備えられているメモリに、単一又は複数の日付時刻情報に基づく補正開始位置及び補正終了位置及び補正時刻データを記憶させる記憶手段と、前記記録再生媒体の再生時に、前記メモリに記憶されている前記補正開始位置から補正終了位置までの範囲内での補正された日付時刻情報を読み出して再生する日付時刻再生手段と、を備えたことである。
【発明の効果】
【００１１】
以上のように、本発明によれば、簡単な構成により、既に映像データが記録されている記録再生媒体の日付時刻情報を補正できる機能を備えたことで、複数の設定された再生範囲内における日付時刻情報を補正でき、又、補正された日付時刻情報を外部機器に転送することができると共に、日付時刻の補正情報を記録再生媒体に持つことができるので、他の再生機で再生しても、日付時刻情報の補正が可能となる。
【発明を実施するための最良の形態】
【００１２】
次に、本願発明に係る撮像装置の実施形態について、図面を参照して、以下説明する。
【実施例１】
【００１３】
本願発明に係る第１の実施形態の撮像装置について、カメラ一体型ＶＴＲを例にして、以下説明する。
【００１４】
カメラ一体型ＶＴＲは、図１に示すように、記録再生媒体であるテープカセット９を装着して撮像した映像データを記録制御し或いは再生制御する記録再生部７と、記録再生等を操作する操作部２と、日付時刻情報を生成する計時部６と、操作部２からの操作に応じてテープカセット９を記録再生する際の計時部６での日付時刻情報に基づいて日付時刻を演算処理する演算処理部４と、演算処理した結果を表示できる表示部３と、各部署に電源を供給する電源部５と、バックアップ電池８と、から大略構成され、被写体を撮影するレンズ部やこれを駆動させる駆動部等は省略してある。
【００１５】
演算処理部４は、単一又は複数の再生範囲を予め指定する再生範囲指定手段と、この再生範囲指定手段で指定した再生範囲に対して、日付時刻を設定する補正時刻設定手段と、を備えている。
【００１６】
表示部３は、演算処理部４の補正時刻設定手段で設定された日付時刻情報を含む映像を再生範囲指定手段で指定した再生範囲で表示する機能を備えている。
【００１７】
このような構成において、記録再生部７が動画像をテープカセット９に記録するが、このテープカセット９には動画像情報の他に、画像を撮影した日付時刻情報を記録する領域を有している。
通常、テープ再生時においては、テープカセット９のテープに記録されている動画像を再生すると共に、記録されている日付時刻情報も、カメラ本体内の表示部３により表示可能となっている。
そして、この演算処理部４には複数の再生範囲を予め指定可能な手段をもち、各再生範囲における設定の１つとして、日付時刻情報を補正する補正時刻設定手段を設けた構成になっている。
【００１８】
この日付時刻情報を補正する補正時刻設定手段について、図２に示すフローチャートに基づいて、以下説明する。
【００１９】
先ず、複数の再生区間において、日付時刻を補正したい区間がある場合、再生区間指定画面を表示部３に表示させる（ステップＳ１）。
この再生区間指定画面が表示部３に表示されると、次に、再生区間開始位置が設定されているかを検出する（ステップＳ２）
再生区間開始位置が設定されている場合には、その位置で再生日付時刻が記録されているかを検出する（ステップＳ３）。
【００２０】
ステップＳ３で、再生日付時刻が記録されているときには、再生区間内の日付時刻再生量を入力する（ステップＳ４）。
ステップＳ３で、再生日付時刻が記録されていないときには、日付時刻情報を入力する（ステップＳ５）。
そして、再生開始位置を設定する（ステップＳ６）。
【００２１】
ステップＳ２で、再生区間開始位置が無い場合には、再生区間の開始位置を設定し、再生日付時刻が記録されているかを検出する（ステップＳ７、Ｓ８）。
ステップＳ８で、再生日付時刻が記録されているときには、再生区間内の日付時刻補正量を入力し、再生終了位置を設定する（ステップＳ９、Ｓ１０）。
【実施例２】
【００２２】
次に、本願発明に係る第２の実施形態の撮像装置について、図面を参照して説明する。
【００２３】
第２の実施形態の撮像装置は、図３に示すように、外部機器１１と接続できるようにしたもので、撮像装置としてカメラ本体１であり、その構造は記録再生媒体であるテープカセット９を装着して撮像した映像データを記録再生する記録再生部７と、記録再生等を操作する操作部２と、日付時刻情報を計時する計時部６と、操作部２からの操作に応じてテープ９を記録再生する際の計時部６での日付時刻情報に基づいて日付時刻を演算する演算処理部４と、演算処理した結果を表示できる表示部３と、各部署に電源を供給する電源部５と、バックアップ電池８と、通信部１０と、通信部１０からのデータをカメラ本体１に送信するインターフェース（Ｉ／Ｆ）１８と、から大略構成され、被写体を撮影するレンズ部やこれを駆動させる駆動部等は省略してある。
【００２４】
演算処理部４は、記録再生部７でテープカセット９に記録した映像データを編集する編集手段と、この編集手段で編集時に、再生範囲を予め指定する再生範囲指定手段と、再生範囲指定手段により指定された単一又は複数の再生範囲に対して、日付時刻を設定する補正時刻設定手段と、補正時刻設定手段により、再生範囲内に記録されている補正した日付時刻情報を含む映像データを外部機器１１に転送する転送手段と、を備えている。この転送手段は、通信部１０を介してインターフェース（Ｉ／Ｆ）１８を通じて外部機器１１に伝達される。
【００２５】
外部機器１１は、画像記録媒体１７を装着して撮像した映像データを記録再生する記録再生部１６と、日付時刻情報を計時する計時部１３と、画像記録媒体１７を記録再生する際の計時部での日付時刻情報に基づいて日付時刻を演算処理する演算処理部１４と、各部署に電源を供給する電源部１５と、通信部１２と、通信部１２からのデータをカメラ本体１に送信するインターフェース（Ｉ／Ｆ）１９と、から大略構成されている。
【００２６】
それぞれの通信部１０、１２に接続されているインターフェース（Ｉ／Ｆ）１８、１９は、汎用バスとして機能し、例えば、ＩＥＥＥ１３９４規格に準拠したディジタルシリアルインターフェースとして機能する。このインターフェースを介して、映像データの送出と共に日付時刻情報も送出可能である。
【００２７】
このような構成からなるカメラ本体１及び外部機器１１において、先ず、インターフェース（Ｉ／Ｆ）１８、１９同士を接続し、カメラ本体１に再生区間を指定する。この指定された再生区間を再生すると共に、インターフェース（Ｉ／Ｆ）１８、１９を介して画像情報と共に、外部機器１１に対して録画コマンドを送出して、再生区間の映像データを外部機器１１で録画編集する。
この録画編集するときに、再生区間における日付時刻情報の補正を行えるようにすることで、編集時には、画像情報とともに、補正された日付時刻情報が外部機器１１に転送されて、録画編集されるようになる。
このようにすることで、外部機器１１側で編集されたテープなどの画像記録媒体１７には補正後の日付時刻情報が記録することができるため、画像の編集と同時に、誤って記録されてしまった日付時刻の修正を行い、別の記録媒体に記録することが可能となる。
【実施例３】
【００２８】
次に、本願発明に係る第３の実施形態の撮像装置について、図面を参照して説明する。
第３の実施形態の撮像装置は、カメラ本体の不揮発性メモリに補正する再生区間並びに補正量を記憶することにより、カメラ本体の電源をオフしても、補正機能を維持することが可能となる。この不揮発性メモリには、画像の頭出し、タイトル等のテープ上の位置に応じた情報を記録する。
この構成は、図４に示すように、記録再生媒体であるテープカセット９を装着して撮像した映像データを記録制御し或いは再生制御する記録再生部７と、記録再生等を操作する操作部２と、日付時刻情報を生成する計時部６と、操作部２からの操作に応じてテープ９を記録再生する際の計時部６での日付時刻情報に基づいて日付時刻を演算処理する演算処理部４と、演算処理した結果を表示できる表示部３と、各部署に電源を供給する電源部５と、バックアップ電池８と、補正する補正区間並びに補正量を記憶する不揮発性メモリ２０と、から大略構成され、被写体を撮影するレンズ部やこれを駆動させる駆動部等は省略してある。
【００２９】
演算処理部４には、再生範囲を予め指定する再生範囲指定手段と、この再生範囲指定手段で指定した単一又は複数の再生範囲に対して、日付時刻を設定する補正時刻設定手段と、この補正時刻設定手段で日付時刻を設定するときに、不揮発性メモリ２０に、複数の日付時刻情報の補正開始位置及び補正終了位置及び補正時刻データを記憶させる記憶手段と、テープカセット９の再生時に、補正開始位置から補正終了位置までの範囲内での補正された日付時刻情報を再生する日付時刻再生手段と、を備えている。
表示部３は、演算処理部４の補正時刻設定手段で設定された日付時刻情報を含む映像データを再生範囲指定手段で指定した再生範囲で表示する機能を備えている。
【００３０】
この不揮発性メモリ２０内には、テープカセット９上の位置を示す絶対的な記録位置コードと、そのコードに記録されている、頭出しのための日付時刻やタイトル情報等が入っている。
図５は基本的なメモリ内の構造を示したものであり、開始点を示すタイムコードと、終了点を示すタイムコードはテープの絶対的な記録位置を示し、その区間内におけるプログラム名および、任意のデータを記録することができる。本発明の場合は、日付時刻補正データを記録した場合について説明する。
先ほどの実施例２で示したように、日付時刻を補正したい区間を指定することにより、メモリ内の区間開始位置と終了位置に対して、補正データを記録できる構成にすることにより、テープカセット９のテープに対して補正データの記録が可能となる。
また、補正区間を複数指定する場合には、図６に示すように、指定された区間における日付時刻情報の補正が可能になる。具体的には、タイムコードＴＣ１、ＴＣ２のプログラム１には日付時刻補正データＡが、タイムコードＴＣ３、ＴＣ４のプログラム２には日付時刻補正データＢが、タイムコードＴＣ５、ＴＣ６のプログラム３には日付時刻補正データＣというように補正する量と日付時刻を補正することができるのである。
【００３１】
図７は、不揮発性メモリ２０に補正する再生区間並びに補正量を記憶させ、再生したときにこの日付時刻補正データを読み出して表示するようにしたときのフローチャートであり、再生状態であるときに、日付時刻補正機能がオンかどうかをチェックする（ステップＳ２１、Ｓ２２）。この日付時刻補正機能とは、メニューの中に存在する機能の1つであり、操作部２を操作することで、本発明の日付時刻を補正することができるかの可否を予め設定しておくものである。
【００３２】
ステップＳ２２で、日付時刻補正機能がオンのときには、不揮発性メモリ２０に日付時刻が記録されているかをチェックし、日付時刻が記録されているときには、記録されている日付時刻は設定された再生区間内の日付時刻の範囲内かを確認する（ステップＳ２３、Ｓ２４）。
【００３３】
ステップＳ２４で、記録されている日付時刻が設定された再生区間内の日付時刻の範囲内であるとき、即ち、予めカメラ本体で設定された補正した補正区間と一致する場合には、再生区間における設定された補正を行って、補正された日付時刻情報を表示する（ステップＳ２５）。
【００３４】
このようにして、予め、記録再生媒体であるテープカセット９に記録されている映像データに対して、その映像データを再生するときの日付時刻補正データを不揮発性メモリ２０に記憶させるようにしたことで、その記録再生媒体を再生するときに、記録されている日付時刻補正データを読み出すことにより、再生されている映像データに合わせて表示することができる。又上述したように、カメラ本体の電源をオフしても、不揮発性メモリ２０に記憶されているデータは残るため、記憶されている日付時刻補正情報はそのまま残り、補正機能を維持することが可能となる。
【実施例４】
【００３５】
次に、本願発明に係る第４の実施形態の撮像装置について、図面を参照して説明する。
第４の実施形態の撮像装置は、記録再生媒体であるテープカセットに搭載されているメモリを利用して、このメモリに補正する再生区間並びに補正量を記憶することにより、カメラ本体の電源をオフしても、補正機能を維持することが可能となる。このテープカセットに搭載されているメモリには、画像の頭出し、タイトル等のテープ上の位置に応じた情報を記録する。
この構成は、図８に示すように、記録再生媒体であり、メモリ２１を搭載したテープカセット９Ａを装着して撮像した映像データを記録制御し或いは再生制御する記録再生部７と、記録再生等を操作する操作部２と、日付時刻情報を生成する計時部６と、操作部２からの操作に応じてテープカセット９Ａを記録再生する際の計時部６での日付時刻情報に基づいて日付時刻を演算処理する演算処理部４と、演算処理した結果を表示できる表示部３と、各部署に電源を供給する電源部５と、バックアップ電池８と、から大略構成され、被写体を撮影するレンズ部やこれを駆動させる駆動部等は省略してある。このメモリ２１には補正する補正区間並びに補正量を記憶する構成となっている。
【００３６】
演算処理部４には、再生範囲を予め指定する再生範囲指定手段と、この再生範囲指定手段で指定した複数の再生範囲に対して、日付時刻を設定する補正時刻設定手段と、この補正時刻設定手段で日付時刻を設定するときに、テープカセット９Ａのメモリ２１に、単一又は複数の日付時刻情報に基づく補正開始位置及び補正終了位置及び補正時刻データを記憶させる記憶手段と、媒体の再生時に、補正開始位置から補正終了位置までの範囲内での補正された日付時刻情報を再生する日付時刻再生手段と、を備えている。
表示部３は、演算処理部４の補正時刻設定手段で設定された日付時刻情報を含む映像データを再生範囲指定手段で指定した再生範囲で表示する機能を備えている。
【００３７】
このメモリ２１には、テープカセット９Ａ上の位置を示す絶対的な記録位置コードと、そのコードに記録されている、頭出しのための日付時刻やタイトル情報等が入っている。
図５は、上記実施例３に示したものと同様に基本的なメモリ内の構造を示したものであり、開始点を示すタイムコードと、終了点を示すタイムコードはテープの絶対的な記録位置を示し、その区間内におけるプログラム名および、任意のデータを記録することができる。本発明の場合は、日付時刻補正データを記録した場合について説明する。
上述の実施例２で示したように、日付時刻を補正したい区間を指定することにより、メモリ２１内の区間開始位置と終了位置に対して、補正データを記録できる構成にすることにより、テープカセット９Ａのメモリ２１に対して補正データの記録が可能となる。
また、補正区間を複数指定することにより、上記実施例３と同様、図６に示すように、指定された区間における日付時刻情報の補正が可能になる。具体的には、タイムコードＴＣ１、ＴＣ２のプログラム１には日付時刻補正データＡが、タイムコードＴＣ３、ＴＣ４のプログラム２には日付時刻補正データＢが、タイムコードＴＣ５、ＴＣ６のプログラム３には日付時刻補正データＣというように補正する量と日付時刻をメモリ２１に記憶しておく。そして、このメモリ２１に記憶されている情報を記録再生部７で読み出すことで複数区間における日付時刻の補正が可能になるのである。
【００３８】
図９は、記録再生媒体であるテープカセット９Ａのメモリ２１に補正する再生区間並びに補正量を記憶するようにしたときのフローチャートであり、再生状態であるときに、日付時刻補正機能がオンかどうかをチェックする（ステップＳ３１、Ｓ３２）。この日付時刻補正機能とは、メニューの中に存在する機能の1つであり、操作部を操作することで、本発明の日付時刻を補正することができるかの可否を予め設定しておくものである。
ステップＳ３２で、日付時刻補正機能がオンのときには、日付時刻が記録されているかをチェックし、記録再生媒体のメモリ２１に日付時刻が記録されているときには、記録されている日付時刻は設定された再生区間内の日付時刻の範囲内かを確認する（ステップＳ３３、Ｓ３４）。
【００３９】
ステップＳ３４で、記録再生媒体（テープカセット９Ａ）のメモリ２１に記録されている日付時刻が設定された再生区間内の日付時刻の範囲内であるとき、即ち、設定された補正した補正区間と一致する場合には、再生区間における設定された補正を行って、補正された日付時刻情報を表示する（ステップＳ３５）。
【００４０】
このように、補正された情報は記録再生媒体であるテープカセット９Ａのメモリ２１に記憶されているということは、記録再生媒体に帰属されていることになり、これは、例えば別の再生機で再生しても、補正されている再生区間は、補正された日付時刻情報が再生可能となるのである。
【産業上の利用可能性】
【００４１】
既に映像データが記録されている記録再生媒体の日付時刻情報を外部から補正することができるため、複数の設定された再生範囲内における日付時刻情報を補正すること、補正された日付時刻情報を外部機器に転送可能であること、日付時刻の補正情報を記録再生媒体に持つことができるため、他の再生器で再生しても、日付時刻情報の補正が可能な撮像装置を提供できる。
【図面の簡単な説明】
【００４２】
【図１】本発明に係る第１の実施形態の撮像装置を略示的に示したブロック図である。
【図２】同、再生区間とその日付時刻情報の設定するためのフローチャートである。
【図３】本発明に係る第２の実施形態の撮像装置を略示的に示したブロック図である。
【図４】本発明に係る第３の実施形態の撮像装置を略示的に示したブロック図である。
【図５】同、メモリのタイムコードを示した説明図である。
【図６】同、タイムコードにおける複数のプログラムの日付時刻補正データを示した説明図である。
【図７】第３の実施形態の撮像装置において、不揮発性メモリに記憶されている日付時刻補正情報に基づいて再生をするためのフローチャートである。
【図８】本発明に係る第４の実施形態の撮像装置を略示的に示したブロック図である。
【図９】第４の実施形態の撮像装置において、テープのメモリに記憶されている日付時刻補正情報に基づいて再生をするためのフローチャートである。
【符号の説明】
【００４３】
１；カメラ本体、２；操作部、３；表示部、４；演算処理部、５；電源部、６；計時部、７；記録再生部、８；バックアップ電池、９；テープカセット、９Ａ；テープカセット、１０；通信部、１１；外部機器、１２；通信部、１３；計時部、１４；演算処理部、１５；電源部、１６；記録再生部、１７；画像記録媒体、１８；インターフェース（Ｉ／Ｆ）、１９；インターフェース（Ｉ／Ｆ）、２０；不揮発性メモリ、２１；メモリ。
【図１】
2005142712.tif 000003
【図２】
2005142712.tif 000004
【図３】
2005142712.tif 000005
【図４】
2005142712.tif 000006
【図５】
2005142712.tif 000007
【図６】
2005142712.tif 000008
【図７】
2005142712.tif 000009
【図８】
2005142712.tif 000010
【図９】
2005142712.tif 000011